(57)【要約】【課題】顔を覆う部分が曇ってしまう状況を改善しつつ、製造コストを抑制することができるフェイスガードを提供する。【解決手段】本フェイスガードは、装着者の少なくとも鼻先及び口を覆う透明の覆い部位と、この覆い部位の左端部及び右端部を、装着者の頭部の後方を介して繋ぐことの可能な装着用繋ぎ部位と、装着者がこの装着用繋ぎ部位を用いて装着を行った際に、覆い部位と鼻先及び口とを離隔させることを可能にする離隔用部位とを備えている。またこれらの覆い部位、装着用繋ぎ部位、及び離隔用部位は、未装着時においていずれも同一平面内に展開可能な部位となっている。ここで、離隔用部位は、覆い部位の左端部及び右端部を、覆い部位と装着者の顔との間を介して繋ぐことの可能な離隔用繋ぎ部位であって、装着者が装着を行った際に、顔の一部に当接して覆い部位と鼻先及び口とを離隔させる離隔用繋ぎ部位であることも好ましい。【選択図】図１
0003227067.tif 000002
【実用新案登録請求の範囲】
【請求項１】
装着者の少なくとも鼻先及び口を覆う透明の覆い部位と、
前記覆い部位の左端部及び右端部を、当該装着者の頭部の後方を介して繋ぐことの可能な装着用繋ぎ部位と、
当該装着者が前記装着用繋ぎ部位を用いて装着を行った際に、前記覆い部位と当該鼻先及び口とを離隔させることを可能にする離隔用部位と
を備えており、
前記覆い部位、前記装着用繋ぎ部位、及び前記離隔用部位は、未装着時においていずれも同一平面内に展開可能な部位となっている
ことを特徴とするフェイスガード。
【請求項２】
前記離隔用部位は、少なくとも、前記覆い部位の左端部及び右端部を、前記覆い部位と当該装着者の顔との間を介して繋ぐことの可能な離隔用繋ぎ部位であって、当該装着者が装着を行った際に、当該顔の一部に当接して前記覆い部位と当該鼻先及び口とを離隔させる離隔用繋ぎ部位であることを特徴とする請求項１に記載のフェイスガード。
【請求項３】
前記離隔用繋ぎ部位は、前記覆い部位の左端部又は右端部から伸長した帯状部分であり、前記覆い部位は、当該帯状部分の端部を挿入して固定可能な挿入孔又は切れ込みを有することを特徴とする請求項２に記載のフェイスガード。
【請求項４】
前記覆い部分は、当該装着者の目も覆うように設けられており、
当該帯状部分は、当該装着者が装着を行った際に、当該顔の一部としての額に当接するように設けられている
ことを特徴とする請求項３に記載のフェイスガード。
【請求項５】
前記覆い部分は、少なくとも当該装着者の目よりも下の顔部分を覆うように設けられており、
当該帯状部分は、当該装着者が装着を行った際に、当該顔の一部としての顎の周辺部に当接するように配されており、またその際、当該顎の先がそこから抜けることになる開口を有する
ことを特徴とする請求項３に記載のフェイスガード。
【請求項６】
前記フェイスガードは、前方につばの付いた防護帽を被った装着者用であり、
前記離隔用部位は、少なくとも、前記覆い部分の上部に設けられたスリットであって、当該装着者が装着を行った際に、そこに当該つばが挿入されるスリットである
ことを特徴とする請求項１、２、３又は５に記載のフェイスガード。
【請求項７】
前記覆い部位、前記装着用繋ぎ部位、及び前記離隔用部位は、一体の透明部材から形成された連続した部位となっていることを特徴とする請求項１から６のいずれか１項に記載のフェイスガード。
【請求項８】
前記装着用繋ぎ部位は、当該装着者が装着を行った際に、当該装着者の耳がそこから抜けることになる開口を有することを特徴とする請求項１から７のいずれか１項に記載のフェイスガード。
【請求項９】
前記覆い部位の少なくとも一部は、防曇処理が施されていることを特徴とする請求項１から８のいずれか１項に記載のフェイスガード。
【請求項１０】
前記覆い部位は、厚さが0.1ミリメートル以上であって0.5ミリメートル以下の樹脂シート製であり、当該防曇処理は、成形前の樹脂材料に所定の防曇防止用添加物を添加することを含む処理であることを特徴とする請求項９に記載のフェイスガード。
【考案の詳細な説明】
【技術分野】
【０００１】
本考案は、装着者の顔を保護するフェイスガードに関する。
【背景技術】
【０００２】
人との対面が不可避となる医療、介護や、接客等の現場、さらには食品・医療品製造等の衛生管理を徹底すべき現場では、当事者からの飛沫や睫毛等が相手や製造物等に及んだり、逆に、当事者が相手からの飛沫を受けたりする事態を回避すべく、各種のフェイスガードが使用されることも少なくない。
【０００３】
このようなフェイスガードとして例えば、特許文献１には、作業者の鼻と両耳に架け渡して顔面に装着する固定具と、この固定具の外側に取り付けられて顔面を覆うシールドと、このシールドの下端部に保持されてシールドの下端と顔面との相互間に生じる隙間を覆う受け部材とを備えたフェイスガードが開示されている。ここで、受け部材は、作業者の睫毛や眉毛等の異物が落下して製品の中に混入してしまうことを防止するために設けられている。
【０００４】
また、特許文献２には、医療従事者の頭部に装着されるフレームと、少なくとも医療従事者の眼前部と顔側面の一部とを覆い、３次元画像に対して所定の偏光特性を有する偏光シールドとからなる手術用フェイスガードが開示されている。この手術用フェイスガードによれば、医療従事者が、手術中、偏光シールドに出力された内視鏡等の３次元映像を利用することが可能となる。
【先行技術文献】
【特許文献】
【０００５】
【特許文献１】特開２００６−０５７２０２号公報
【特許文献２】国際公開第２０１６／１２５５５１号公報
【考案の概要】
【考案が解決しようとする課題】
【０００６】
従来フェイスガードにおいては、その使用中に、顔面を覆うシールドが装着者の吐く息によって曇ってしまい、そのため、装着者が作業を実施しづらくなる事態が生じてしまうことが大きな問題となっていた。
【０００７】
ここで、この問題に対処すべく、例えば特許文献１や特許文献２に記載されたような、眼鏡状の固定具をシールドに取り付けた組立品としてのフェイスガードを採用し、装着者は、この固定具を眼鏡のように掛けることによって顔とシールドとの間に間隔を得る、といった対応がとられてきた。
【０００８】
しかしながら、このように立体部品の組立品としてのフェイスガードは、その製造・組立にそれなりの手間がかかり、製造コスト、ひいてはその製品価格の低減化にも限度が生じる。また、このようなフェイスガードは、ある程度の大きさを有し、例えば大量に出荷・運搬する際にはそれなりの体積のものを扱わなければならず、その負担も少なくない。
【０００９】
これに対し、フェイスガードを使用する多くの現場においては、相当の数のフェイスガードをできるだけ安価に取得したいというのが実情である。特に、例えば全国規模に拡大しつつある感染症に対応している医療現場、さらにはそのような感染症の侵入を排除したい接客現場や食品等の製造現場では、安価であって且つ取り扱いや廃棄の容易なフェイスガードを、常時大量に取り寄せたいニーズが多数発生するのである。
【００１０】
そこで、本考案は、顔を覆う部分が曇ってしまう状況を改善しつつ、製造コストを抑制することができるフェイスガードを提供することを目的とする。
【課題を解決するための手段】
【００１１】
本考案によれば、
装着者の少なくとも鼻先及び口を覆う透明の覆い部位と、
この覆い部位の左端部及び右端部を、当該装着者の頭部の後方を介して繋ぐことの可能な装着用繋ぎ部位と、
当該装着者がこの装着用繋ぎ部位を用いて装着を行った際に、覆い部位と当該鼻先及び口とを離隔させることを可能にする離隔用部位と
を備えており、
覆い部位、装着用繋ぎ部位、及び離隔用部位は、未装着時においていずれも同一平面内に展開可能な部位となっている
ことを特徴とするフェイスガードが提供される。
【００１２】
この本考案によるフェイスガードの一実施形態として、離隔用部位は、少なくとも、覆い部位の左端部及び右端部を、覆い部位と当該装着者の顔との間を介して繋ぐことの可能な離隔用繋ぎ部位であって、当該装着者が装着を行った際に、当該顔の一部に当接して覆い部位と当該鼻先及び口とを離隔させる離隔用繋ぎ部位であることも好ましい。
【００１３】
また、上記の離隔用部位が離隔用繋ぎ部位である実施形態において、この離隔用繋ぎ部位は、覆い部位の左端部又は右端部から伸長した帯状部分であり、覆い部位は、当該帯状部分の端部を挿入して固定可能な挿入孔又は切れ込みを有することも好ましい。
【００１４】
さらに、上記の離隔用繋ぎ部位が当該帯状部分である実施形態において、覆い部分は、当該装着者の目も覆うように設けられており、
当該帯状部分は、当該装着者が装着を行った際に、当該顔の一部としての額に当接するように設けられていることも好ましい。
【００１５】
または、上記の離隔用繋ぎ部位が当該帯状部分である実施形態において、覆い部分は、少なくとも当該装着者の目よりも下の顔部分を覆うように設けられており、
当該帯状部分は、当該装着者が装着を行った際に、当該顔の一部としての顎の周辺部に当接するように配されており、またその際、当該顎の先がそこから抜けることになる開口を有することも好ましい。
【００１６】
さらに、本考案によるフェイスガードの他の実施形態として、フェイスガードは、前方につばの付いた防護帽を被った装着者用であり、離隔用部位は、少なくとも、覆い部分の上部に設けられたスリットであって、当該装着者が装着を行った際に、そこに当該つばが挿入可能となるスリットであることも好ましい。
【００１７】
また、本考案によるフェイスガードの更なる他の実施形態として、覆い部位、装着用繋ぎ部位、及び離隔用部位は、一体の透明部材から形成された連続した部位となっていることも好ましい。
【００１８】
さらに、本考案によるフェイスガードの更なる他の実施形態として、装着用繋ぎ部位は、当該装着者が装着を行った際に、当該装着者の耳がそこから抜けることになる開口を有することも好ましい。
【００１９】
また、本考案によるフェイスガードの更なる他の実施形態として、覆い部位の少なくとも一部は、防曇処理が施されていることも好ましい。さらに、この覆い部位は、厚さが0.1ミリメートル（ｍｍ）以上であって0.5ｍｍ以下の樹脂シート製であり、当該防曇処理は、成形前の樹脂材料に所定の防曇防止用添加物を添加することを含む処理であることも好ましい。
【考案の効果】
【００２０】
本考案のフェイスガードによれば、顔を覆う部分が曇ってしまう状況を改善しつつ、製造コストを抑制することができる。
【図面の簡単な説明】
【００２１】
【図１】本考案によるフェイスガードの一実施形態を説明するための模式図である。
【図２】本考案によるフェイスガードの他の実施形態を示す模式図である。
【図３】本考案によるフェイスガードの更なる他の実施形態を説明するための模式図である。
【図４】本考案によるフェイスガードの更なる他の実施形態を示す模式図である。
【図５】本考案によるフェイスガードの更なる他の実施形態を示す模式図である。
【考案を実施するための形態】
【００２２】
以下に、本考案を実施するための形態について、添付図面を参照しながら詳細に説明する。なお、各図面において、同一の要素は、同一の参照番号を用いて示されている。また、図面中の構成要素内及び構成要素間の寸法比は、図面の見易さのため、それぞれ任意となっている。
【００２３】
図１は、本考案によるフェイスガードの一実施形態を説明するための模式図である。
【００２４】
図１（Ａ）に示した本実施形態のフェイスガード１は、例えば外部から飛来するウイルスや細菌を含んだ飛沫、花粉、埃、微小浮遊物等が、装着者の顔、特に目、鼻や口に及ばないようにしたり、また、装着者から発せられる飛沫や、睫毛・眉毛等の異物を、外部に放出されないようにしたりする保護具である。
【００２５】
具体的に、フェイスガード１は、
（Ａ）装着者の少なくとも鼻先及び口を覆う（本実施形態では目も覆う）透明の覆い部位１１と、
（Ｂ）覆い部位１１の左端部及び右端部を、装着者の頭部の後方を介して繋ぐことの可能な装着用繋ぎ部位１２１及び１２２と、
（Ｃ）装着者が装着用繋ぎ部位１２１及び１２２を用いて装着を行った際に、覆い部位１１と装着者の鼻先及び口とを離隔させることを可能にする「離隔用部位」である離隔用繋ぎ部位１３と
を備えており、
（Ｄ）覆い部位１１、装着用繋ぎ部位１２１及び１２２、並びに離隔用繋ぎ部位１３は、未装着時においていずれも同一平面内に展開可能な部位となっている
ことを特徴としている。
【００２６】
ここで、フェイスガード１は、上記（Ｃ）の「離隔用部位」である離隔用繋ぎ部位１３を備えているが故に、装着された際、覆い部位１１と装着者の鼻先及び口との距離（図１（Ｂ３）の距離S2）をゼロでない所定の有限値に保つことができる。その結果、覆い部位１１と装着者の顔面との間の通気性が向上し、覆い部位１１が、装着者の吐く息で曇ってしまう状況を改善することができるのである。またこれにより、フェイスガード１の装着者は、例えば治療行為や製造作業等を行う際に、目の前の対象をより良く視認することも可能となる。
【００２７】
さらに、フェイスガード１の各構成部位は、上記（Ｄ）に規定されたように、未装着時においていずれも同一平面内（図１（Ａ）でいえば同図の紙面内）に展開可能な部位となっている。その結果、例えば製品としてのフェイスガード１を大量に出荷する際、それらを重ねて小体積化して梱包することもでき、それ故運搬の負担を小さく抑えることも可能となるのである。
【００２８】
また本実施形態において、フェイスガード１の各構成部位（覆い部位１１，装着用繋ぎ部位１２１及び１２２，離隔用繋ぎ部位１３）は、一体の透明部材から形成された、材質の点でも連続した部位となっており、より具体的にフェイスガード１は、１枚の透明樹脂シートから全体を一挙に切り出すことにより製造されている。その結果、製造コストを小さく抑え、ひいては製品としてのフェイスガード１を廉価なものにすることも可能となるのである。
【００２９】
ここで勿論、フェイスガード１を、このようなワンパーツ品ではなく、２つ以上のパーツを繋いで構成する製品とすることも可能である。例えば、「離隔用部位」である離隔用繋ぎ部位１３を、覆い部位１１と同一の又は異なる部材を用いて別に形成したものとすることもできる。具体的には離隔用繋ぎ部位１３を、紙製の別パーツとすることも可能である。しかしながら、ワンパーツ品としてのフェイスガード１は、後に説明するが装着作業も容易に行うことができ、さらに、装着者にとっての軽い付け心地を実現可能とするのである。
【００３０】
以上説明したように、本実施形態のフェイスガード１は、製造コストを低減して廉価なものとすることができ、また、出荷・運搬の負担も小さく抑えることができ、さらに（特に、この後述べる樹脂製のものにつき）廃棄も容易なものとなっている。したがってこのフェイスガード１は、例えば全国規模に拡大しつつある感染症に対応している、飛沫感染を阻止したい医療現場、さらにはそのような感染症の侵入を排除したい接客現場や食品・医療品等の製造現場に対し、必要な量を常時供給するのに非常に適しているのである。
【００３１】
また、上記（Ａ）の覆い部位１１、本実施形態ではフェイスガード１の全構成部位（覆い部位１１、装着用繋ぎ部位１２１及び１２２、及び離隔用繋ぎ部位１３）は、ポリプロピレン（ＰＰ）樹脂、非晶性ポリエチレンテレフタレート（Ａ−ＰＥＴ）樹脂、結晶性ポリエチレンテレフタレート（Ｃ−ＰＥＴ）樹脂、グリコール変性ポリエチレンテレフタレート（Ｇ−ＰＥＴ）樹脂、ポリ塩化ビニル（ＰＶＣ）樹脂、又はポリエチレン（ＰＥ）樹脂等の透明樹脂で形成されたものであることも好ましい。このうちＰＰ樹脂、Ａ−ＰＥＴ樹脂、Ｃ−ＰＥＴ樹脂、及びＧ−ＰＥＴ樹脂は、必要となる機械的強度や硬度を有し、また、食品容器の材料にも採用されるような安全性を備えており、顔近傍に位置することとなるフェイスガード１の構成材料として、より好適となっている。
【００３２】
さらに本実施形態では、上述したような樹脂製の覆い部位１１（本実施形態ではフェイスガード１の全構成部位）は、防曇処理の施されたものとなっている。これにより、装着者の吐く息による曇り現象だけでなく、環境温度の変化による曇り現象の発生も抑制することが可能となる。
【００３３】
ここで、この防曇処理として、部位表面の少なくとも一部に対し公知の物理的な防曇加工を施してもよい。また、部位表面の少なくとも一部に対し公知の防曇剤を塗布してもよい。しかしながら本実施形態においては、この防曇処理として、成形前の上述したような樹脂材料に対し、所定の防曇防止用添加物を添加することを含む処理を行っている。すなわち、このような添加による防曇処理を施した樹脂シートから切り出し処理を行うことにより、フェイスガード１を形成しているのである。これにより、切り出した後に防曇加工を実施する手間を省くことができ、製造がより容易になる。
【００３４】
またさらに、上述した防曇防止用添加物の添加による防曇処理を採用することによって、厚さが0.1ミリメートル（ｍｍ）以上であって0.5ｍｍ以下、より好ましくは厚さが0.1ミリメートル（ｍｍ）以上であって0.25ｍｍ以下である非常に薄い、防曇処理済みの樹脂シートを（押し出し加工により）成形し、これを用いてフェイスガード１を製造することも可能となる。実際、本願考案者は、各部位が厚さ0.2ｍｍのＰＰ製であって全体の重量が17グラム（ｇ）のフェイスガード１を提供することも可能であることを確認している。
【００３５】
いずれにしても、このような防曇処理の施された樹脂製の極薄・極軽量であるフェイスガード１は、使い心地が良好であって長時間使用しても装着者が疲れにくく、また、例えばハサミで余分な部分を切り取って覆い部位１１を好みのサイズ・形状のものにすることも容易であり、さらに、使い捨て可能であって除菌の手間無しに簡便に廃棄することもできるのである。
【００３６】
なお、フェイスガード１の原材料となる上述したような樹脂は、公知の帯電防止用添加物を添加することを含む帯電防止処理を施されたものであってもよい。さらに、公知の高透明化処理を施されたものであることも好ましい。このうち、帯電防止処理の施された樹脂シートを採用することによって、覆い部位１１が飛沫、花粉や、埃等を引き寄せてしまう現象を抑えることも可能となる。
【００３７】
ここで、所定の防曇防止用添加物の添加によっては、上記の帯電防止用添加物の影響による樹脂シート表面の透明性が劣化する「ブリードアウト現象」の発生を抑制することもできることが分かっている。このような処置の施された樹脂シートを採用することによって、防曇効果を享受するともに、覆い部位１１の透明性の経時劣化を防止することも可能となるのである。ちなみに、以上に述べたような防曇防止用添加物の添加による防曇処理の施された樹脂シートとして、例えば、有限会社タイロン製の樹脂シートを採用することができる。
【００３８】
次に、本実施形態のフェイスガード１の装着について説明を行う。
【００３９】
図１（Ａ）及び（Ｂ１）に示したように、上記（Ｃ）の「離隔用部位」である離隔用繋ぎ部位１３は、覆い部位１１の左端部（又は右端部でもよい）から伸長した帯状部分であり、覆い部位１１の左端部及び右端部を、覆い部位１１と装着者の顔との間を介して繋ぐことの可能な部位となっている。より具体的に本実施形態においては、この離隔用繋ぎ部位１３の端部は、両側辺に複数の突起を有する挿入部１３ａとなっている。この挿入部１３ａは、覆い部位１１における離隔用繋ぎ部位１３の（左右に関して）反対側に設けられた切り込み１１ａ（又は挿入孔でもよい）へ挿入されて、離隔用繋ぎ部位１３の（覆い部位１１の両端部を繋ぐ）帯としての長さを調整しつつ固定されるのである。
【００４０】
ここで図１（Ｂ３）に示すように、この帯状部分（離隔用繋ぎ部位１３）は、上記の固定を行った後、装着者の額に当接するように（図１（Ｂ３）では額の左右に張り付くように）設けられているのである。
【００４１】
また、図１（Ａ）及び（Ｂ２）に示すように本実施形態において、上記（Ｂ）の装着用繋ぎ部位１２１は、覆い部位１１の左端部（又は右端部でもよい）における離隔用繋ぎ部位１３よりも上方の位置から伸長した帯状部分であり、またその端部は、両側辺に複数の突起を有する挿入部１２１ａとなっている。一方、上記（Ｂ）の装着用繋ぎ部位１２２は、覆い部位１１における装着用繋ぎ部位１２１とは（左右に関して）反対側の端部における離隔用繋ぎ部位１３よりも上方の位置から伸長した帯状部分であり、またその端部に、切り込み１２２ａ（又は挿入孔でもよい）を有している。
【００４２】
ここで図１（Ｂ２）に示したように、装着用繋ぎ部位１２１の挿入部１２１ａは、装着用繋ぎ部位１２２の切り込み１２２ａへ挿入されて、装着用繋ぎ部位１２１及び１２２の（覆い部位１１の両端部を繋ぐ）帯としての長さを調整しつつ固定されるのである。
【００４３】
装着者は、以上述べたように挿入部１３ａ及び１２１ａを、それぞれ切り込み１１ａ及び１２２ａに挿入して長さを調整しつつ固定した上で、この状態のフェイスガード１を頭部に被って装着するのである。ここで、装着した具合によって、両耳の上方に位置する装着用繋ぎ部位１２１及び１２２の帯としての長さを更に調整し、フェイスガード１を頭部に、ひいては顔面上にしっかり固定することもできる。いずれにしても、挿入部１２１ａ及び切り込み１２２ａがアジャスタ機能を果たすので、広範な頭囲の大きさに対応して好適な装着を実現することが可能となる。
【００４４】
さらに、装着者は、同じくアジャスタ機能を果たす挿入部１３ａの切り込み１１ａへの挿入具合を変えて、離隔用繋ぎ部位１３の帯としての長さを調節し、図１（Ｂ３）に示した（覆い部位１１と、離隔用繋ぎ部位１３の額に当接した部分との）距離S1を十分な大きさとすることができる。ここで、距離S1は、10ｍｍ以上であって100ｍｍ以下に設定されることが好ましく、40ｍｍ以上であって80ｍｍ以下に設定されることがより好ましい。これにより、覆い部位１１と装着者の鼻先及び口との距離S2（図１（Ｂ３））を十分な大きさの有限値に保つことができ、覆い部位１１が、装着者の吐く息で曇ってしまう状況を改善することも可能となるのである。
【００４５】
また、以上に述べたように距離S1、ひいては距離S2を調整することによって、覆い部位１１と顔面との間にそれなりの大きさの空間が形成され、フェイスガード１の上方と下方との間の通気性が十分に確保される。これにより、装着者の呼吸を妨げることなく、覆い部位１１の防曇を促進することが可能となる。さらに、装着者は、マスク、眼鏡や、ミニゴーグル等を着用した状態のままでも、フェイスガード１を装着することができる。ここで、このようにフェイスガード１をマスクやミニゴーグル等と併用することによって、例えば飛沫感染防止効果をより高めることも可能となるのである。
【００４６】
さらに、フェイスガード１の覆い部位１１は、図１（Ｂ３）に示したように、装着された際に装着者の耳を覆わないように限定された（左右方向の）幅を有することも好ましい。ちなみに、装着者の聴覚に影響を与えないこのような構成は、例えばフェイスガード１を装着した医療従事者が、聴診器を使用して診断を行うことも可能にする。
【００４７】
なお、装着用繋ぎ部位１２１によって覆い部位１１の左右両端部を繋ぐ形態、また離隔用繋ぎ部位１３によって覆い部位１１の左右両端部を繋ぐ形態は、上述した挿入部と切り込み（総入孔）とを用いるものに限定されるものではない。例えば、ボタンとボタン穴とを用いてもよく、雄及び雌の面ファスナを用いることもできる。または、繋ぎ部位を覆い部位１１の左右両端部から伸長した２つの紐とし、当該紐を結んで繋ぐような形態も可能である。しかしながら、本実施形態においては、繋ぐのに使用する挿入部及び切り込み（総入孔）を、ワンパーツのフェイスガード１の一部として一挙に形成することができ、製造コストを抑制することが可能となるのである。
【００４８】
また変更態様として、装着用繋ぎ部位１２１は、覆い部位１１の左右端部のうちの一方からのみ伸長しており、覆い部位１１には、その端部の挿入部１２１ａが挿入可能な切れ込み（又は挿入孔）が設けられていてもよい。さらに、離隔用繋ぎ部位１３は、覆い部位１１の左右端部のそれぞれから伸長した２つの帯状部分であって、これらが互いに接続可能となっていてもよい。
【００４９】
図２は、本考案によるフェイスガードの他の実施形態を示す模式図である。
【００５０】
図２に示した本実施形態のフェイスガード２は、
（ａ）切り込み２１ａを有しており、装着者の目、鼻先及び口を覆う覆い部位２１と、
（ｂ１）切り込み２２１ａを有する装着用繋ぎ部位２２１と、
（ｂ２）挿入部２２２ａを有する装着用繋ぎ部位２２２と、
（ｃ）挿入部２３ａを有する離隔用繋ぎ部位２３と
を備えており、これらの部位・部分はそれぞれ、フェイスガード１（図１）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００５１】
しかしながら、本実施形態のフェイスガード２においては、フェイスガード１（図１）とは異なり、装着用繋ぎ部位２２１及び２２２はそれぞれ、覆い部位２１の左端部及び右端部における離隔用繋ぎ部位２３よりも下方の位置から伸長した帯状部分となっており、装着の際には、装着者の両耳近傍を介して繋がれるようになっている。またそれ故、装着用繋ぎ部位２２１及び２２２はそれぞれ、装着の際、装着者の耳（耳介）がそこから抜けることになる開口２２１ｂ及び２２２ｂを有しているのである。
【００５２】
このように、装着用繋ぎ部位２２１及び２２２が、装着者の両耳（両耳介）を開口から露出させつつ、当該両耳近傍及び頭部の後方を介して覆い部位２１の左右端部を繋ぐので、フェイスガード２は、装着者の聴覚に影響を与えることなく、装着者の頭部に安定して固定されるのである。ちなみに、このような構成は、例えばフェイスガード２を装着した医療従事者が、聴診器を使用して診断を行うことも可能にする。
【００５３】
また改めて言えば、本実施形態のフェイスガード２においても、フェイスガード１と同様に、離隔用繋ぎ部位２３が装着者の額に当接して当該額と覆い部位２１との間に空間をつくることによって、覆い部位２１が曇ってしまう状況を改善しつつ、製造コストを抑制することができるのである。
【００５４】
図３は、本考案によるフェイスガードの更なる他の実施形態を説明するための模式図である。
【００５５】
図３に示した本実施形態のフェイスガード３は、
（ａ）切り込み３１ａを有しており、装着者の鼻先及び口を覆う覆い部位３１と、
（ｂ１）切り込み３２１ａ及び開口３２１ｂを有する装着用繋ぎ部位３２１と、
（ｂ２）挿入部３２２ａ及び開口３２２ｂを有する装着用繋ぎ部位３２２と、
（ｃ）挿入部３３ａを有する離隔用繋ぎ部位３３と
を備えており、これらの部位・部分はそれぞれ、フェイスガード２（図２）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００５６】
しかしながら、本実施形態のフェイスガード３においては、フェイスガード２（図２）とは異なり、
（ア）装着者が眼鏡やゴーグルを着用しやすいように、装着者の鼻先及び口を覆うが目は覆わないマスクタイプの覆い部位３１が設けられており、また、
（イ）そのような顔の下方に位置する覆い部位３１を、装着者の頭部に安定して固定させるため、図３（Ｂ）及び（Ｃ）に示したように、装着者の両耳（両耳介）をそれぞれ開口３２１ｂ及び開口３２２ｂから露出させつつ、当該両耳近傍及び頭部の後方を介して覆い部位３１の左右端部を繋ぐ装着用繋ぎ部位３２１及び３２２を採用し、さらに、
（ウ）離隔用繋ぎ部位３３は、顔の下方に位置する覆い部位３１に合わせ、装着者が装着を行った際、図３（Ｂ）及び（Ｃ）に示したように（装着者の額ではなく）装着者の顎の周辺部に当接するように配されており、またその際、この顎の先がそこから抜けることになる開口３３ｂを有している。
【００５７】
このような構成によって、フェイスガード３は、装着者の聴覚に影響を与えることなく、例えば眼鏡やゴーグルを着用した装着者の頭部にも安定して固定可能となり、また、離隔用繋ぎ部位３３が装着者の顎周辺に当接して当該額の先、ひいては口及び鼻先と、覆い部位３１とを離隔させることによって通気性を高め、覆い部位３１が曇ってしまう状況を改善することができるのである。さらに勿論、フェイスガード１及び２（図１及び２）と同様、その製造コストを抑制することも可能となるのである。
【００５８】
ちなみに、上述したように覆い部位３１が曇ってしまう状況を改善することによって、装着者が覆い部位３１越しに下方を見ることも妨げられずに済む。また、覆い部位３１の下方への通気性も高まるので、例えば装着者の着用した眼鏡が曇ってしまう事態も改善することが可能となるのである。
【００５９】
図４は、本考案によるフェイスガードの更なる他の実施形態を示す模式図である。
【００６０】
図４に示した本実施形態のフェイスガード４は、
（ａ）装着者の目、鼻先及び口を覆う覆い部位４１と、
（ｂ１）挿入部４２１ａを有する装着用繋ぎ部位４２１と、
（ｂ２）切り込み４２２ａを有する装着用繋ぎ部位４２２と
を有しており、これらの部位・部分はそれぞれ、フェイスガード１（図１）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００６１】
しかしながら、本実施形態のフェイスガード４においては、フェイスガード１（図１）とは異なり、離隔用繋ぎ部位及びそれと繋がるための切り込み（挿入孔）は存在せず、その代わりに、覆い部位４１の上部に「離隔用部位」としてのスリット４３が設けられている。
【００６２】
ここで、フェイスガード４は、つば付きヘルメットといったような前方につばの付いた防護帽を被った装着者用のフェイスガードであり、スリット４３は、その装着の際、そこに当該つばが挿入される部位となっている。また、装着用繋ぎ部位４２１及び４２２は、当該防護帽の下端部の周囲に巻き付けられ、挿入部４２１ａが切り込み４２２ａに挿入されることにより、フェイスガード４を当該防護帽に安定して固定させる役割を果たす。
【００６３】
このようにスリット４３は、前方のつばを受け入れるので、覆い部位４１を当該防護帽の下端部の前方位置に安定して固定させ、これにより、覆い部位４１を装着者の顔面、ひいては鼻先及び口から確実に離隔させる役割を果たすのである。すなわち、フェイスガード４は、「離隔用部位」としてのスリット４３を設けることによって、前方につばの付いた防護帽を被った装着者によって装着された際にも、安定した装着を可能にし、覆い部位４１が曇ってしまう状況を改善しつつ、さらに、その製造コストを抑制することができるのである。
【００６４】
図５は、本考案によるフェイスガードの更なる他の実施形態を示す模式図である。
【００６５】
図５に示した本実施形態のフェイスガード５は、
（ａ）切り込み５１ａを有しており、装着者の目、鼻先及び口を覆う覆い部位５１と、
（ｂ１）切り込み５２１ａ及び開口５２１ｂを有する装着用繋ぎ部位５２１と、
（ｂ２）挿入部５２２ａ及び開口５２２ｂを有する装着用繋ぎ部位５２２と、
（ｃ）挿入部５３ａ及び開口５３ｂを有する離隔用繋ぎ部位５３と
を備えており、これらの部位・部分はそれぞれ、フェイスガード３（図３）における対応する同じ名称の部位・部分と同様又は類似の材料・製造方法で形成されており、同様又は類似の構成を有していて同様又は類似の変更態様をとることができ、さらに同様又は類似の機能・役割を果たし、同様又は類似の効果を奏功する部位・部分となっている。
【００６６】
しかしながら、本実施形態のフェイスガード５においては、フェイスガード３（図３）とは異なり、「離隔用部位」として設けられた離隔用繋ぎ部位５３に加えて、覆い部位５１の上部に「離隔用部位」としてのスリット５４が設けられている。
【００６７】
ここで、フェイスガード５は、フェイスガード４（図４）と同様、つば付きヘルメットといったような前方につばの付いた防護帽を被った装着者用のフェイスガードであり、スリット５４は、その装着の際、そこに当該つばが挿入される部位であって、上述したスリット４３（図４）と同様又は類似の機能・役割を果たし、同様又は類似の効果を奏功する部位となっている。
【００６８】
ただし、フェイスガード４（図４）の場合とは異なり、装着用繋ぎ部位５２１及び５２２は、当該防護帽の下端部の周囲ではなく、装着者の両耳（両耳介）をそれぞれ開口５２１ｂ及び開口５２２ｂから露出させつつ、当該両耳近傍及び頭部の後方を介して覆い部位５１の左右端部を繋ぐようになっている。またさらに、装着用繋ぎ部位５２１及び５２２がこのような形で覆い部位５１を装着者の顔面上に固定することを受け、この覆い部位５１と鼻先及び口を離隔させるために、離隔用繋ぎ部位５３が、スリット５４と併せて利用されるのである。
【００６９】
このように、フェイスガード５においては「離隔用部位」として、スリット５４と離隔用繋ぎ部位５３とを併用することによって、覆い部位５１を、装着者の鼻先及び口を含む顔面全体から確実に離隔させることができる。すなわち、フェイスガード５は、「離隔用部位」としてのスリット５４及び離隔用繋ぎ部位５３を設けることによって、前方につばの付いた防護帽を被った装着者によって装着された際にも、安定した装着を可能にし、覆い部位５１が曇ってしまう状況を改善しつつ、さらに、その製造コストを抑制することができるのである。
【００７０】
例えばある感染症の感染が拡大する中、災害現場において、医療従事者がヘルメットを被って医療行為を行う際にも、フェイスガード５は、当該医療従事者が簡単且つ確実に装着することができ、さらに好適な使い心地を享受できるものとなっている。
【００７１】
また勿論、フェイスガード５においても、装着用繋ぎ部位５２１及び５２２は、装着者の両耳を開口から露出させつつ、当該両耳近傍及び頭部の後方を介して覆い部位５１の左右端部を繋ぐので、装着者の聴覚に影響を与えることがない。したがって、例えばフェイスガード５を装着した当該医療従事者は、聴診器を使用して診断を行うことも可能となるのである。
【００７２】
以上詳細に説明したように、本考案のフェイスガードは、以上に述べたような「離隔用部位」を備えているが故に、装着された際、覆い部位と装着者の鼻先及び口とを確実に離隔させることができ、その結果、この覆い部位が装着者の吐く息で曇ってしまう状況を、改善することが可能となる。
【００７３】
また、本考案のフェイスガードの各構成部位は、未装着時においていずれも同一平面内に展開可能な部位となっている。これにより、本フェイスガードの製造が容易となり、製造コストを抑制することが可能となる。さらに、例えば製品としてのフェイスガードを大量に出荷する際にも、それらを重ねて小体積化して梱包することもでき、それ故運搬の負担を小さく抑えることも可能となる。
【００７４】
さらに、本考案のフェイスガードは、以上に説明したように種々の実施形態をとることができ、その結果、様々な現場や業界で好適に利用可能なものとなっている。例えば、病院、薬局、介護施設、銀行、自治体等の窓口、飲食店、スーパーマーケット、コンビニエンスストア、理美容室、サロンや、食品・医療品製造工場等において人や製造物等と対面する従事者、さらには、柴刈り、ガーデニング、洗車や、ペンキ塗り等のアウトドア作業を行う人や、家庭内で料理・調理を行う人等、種々様々なユーザに利用されることができるのである。
【００７５】
なお、以上に述べた実施形態は全て、本考案を例示的に示すものであって限定的に示すものではなく、本考案は、他の種々の変形態様及び変更態様で実施することができる。従って、本考案の範囲は、実用新案登録請求の範囲及びその均等範囲によってのみ規定されるものである。
【符号の説明】
【００７６】
１、２、３，４、５  フェイスガード
１１、２１、３１、４１、５１  覆い部位
１１ａ、１２２ａ、２１ａ、２２１ａ、３１ａ、３２１ａ、４２２ａ、５１ａ、５２１ａ  切り込み
１２１、１２２、２２１、２２２、３２１、３２２、４２１、４２２、５２１、５２２  装着用繋ぎ部位
１２１ａ、１３ａ、２２２ａ、２３ａ、３２２ａ、３３ａ、４２１ａ、５２２ａ、５３ａ  挿入部
１３、２３、３３、５３  離隔用繋ぎ部位（離隔用部位）
２２１ｂ、２２２ｂ、３２１ｂ、３２２ｂ、３３ｂ、５２１ｂ、５２２ｂ、５３ｂ  開口
４３、５４  スリット（離隔用部位）
【図１】
0003227067.tif 000003
【図２】
0003227067.tif 000004
【図３】
0003227067.tif 000005
【図４】
0003227067.tif 000006
【図５】
0003227067.tif 000007